(57)【要約】      （修正有）【課題】尿素水噴射ノズルが詰まらない脱硝装置を提供する。【解決手段】燃焼排ガス通路３に設置された尿素水噴射ノズル４から尿素水を噴射し、燃焼排ガス中の窒素酸化物を還元除去する脱硝装置において、尿素水噴射ノズル内へ空気の供給を可能とし、脱硝運転停止操作時に、尿素水噴射ノズルへ空気を供給して尿素水噴射ノズル内の液体分を排出し、尿素水噴射ノズル内を空気で置換するとともに、脱硝運転停止中は定期的に尿素水噴射ノズルへ空気を供給する。【選択図】図１
2011098343.tif 000002
【特許請求の範囲】
【請求項１】
燃焼排ガスを通す排ガス通路に尿素水噴射ノズルを設置しておき、尿素水噴射ノズルから燃焼排ガスへ向けて尿素水を噴射し、燃焼排ガス中の窒素酸化物を還元除去するようにしている脱硝装置において、尿素水噴射ノズル内へは空気の供給も可能としておき、脱硝運転停止操作時、尿素水噴射ノズルへ空気を供給することによって尿素水噴射ノズル内の液体分を排出し、尿素水噴射ノズル内を空気で置換すると尿素水噴射ノズルへの空気供給は停止するが、その後も脱硝運転停止中には定期的に尿素水噴射ノズルへ空気を供給する制御を行う制御装置を有することを特徴とする尿素水噴射ノズルの詰まりを防止する脱硝装置。
【請求項２】
燃焼排ガスを通す排ガス通路に尿素水噴射ノズルを設置しておき、尿素水噴射ノズルから燃焼排ガスへ向けて尿素水を噴射し、燃焼排ガス中の窒素酸化物を還元除去するようにしている脱硝装置であって、尿素水噴射ノズルへは尿素水のほかに洗浄液の供給を可能としておき、脱硝運転を停止する際には尿素水噴射ノズルへ洗浄液を供給することで尿素水噴射ノズル内部の洗浄を行う脱硝装置において、尿素水噴射ノズル内へは空気の供給も可能としておき、脱硝運転停止操作時、洗浄液による尿素水噴射ノズルの洗浄を終了し、洗浄液供給停止後、すぐには尿素水噴射ノズルへの空気供給は行わず、尿素水や洗浄液を供給する尿素水供給経路内の圧力が抜けた後に、尿素水噴射ノズルへの空気供給を開始する制御を行う制御装置を有することを特徴とする尿素水噴射ノズルの詰まりを防止する脱硝装置。
【発明の詳細な説明】
【技術分野】
【０００１】
本発明は、燃焼排ガス中に尿素水を噴射して窒素酸化物を除去する脱硝装置であって、尿素水噴射ノズルの詰まりを防止する制御を行う脱硝装置に関するものである。
【背景技術】
【０００２】
特開２００３−６２４２７号公報に記載があるように、ガスタービンやエンジンなどの原動機と、原動機で発生した燃焼排ガスから熱を回収する排熱ボイラを設置しておき、動力とともに熱を利用することで装置全体としての効率を高めるということが行われている。そして、燃焼排ガスに含まれている窒素酸化物を除去するために、燃焼排ガス中へ尿素水を噴射し、窒素酸化物を還元除去することが行われている。
【０００３】
燃焼排ガスへ向けて尿素水を噴射する尿素水噴射ノズルは、原動機と排熱ボイラの間をつなぐ排ガス通路に設置する。尿素水噴射ノズルは燃焼排ガスの熱を受ける場所に設置することになり、排ガス通路内の燃焼排ガスは高温であるため、尿素水噴射ノズルは燃焼排ガスによって加熱される。尿素水噴射ノズルでは尿素水を噴射している時には、供給し続けている尿素水によって尿素水噴射ノズルを冷却することができるため、尿素水噴射ノズルが高温になることを防止できる。しかし、尿素水の噴射を停止している時には、尿素水によって尿素水噴射ノズルを冷却することができないため、ノズル部が高温になることがある。尿素水噴射ノズルの温度が上昇すると、尿素水噴射ノズル内に残っていた尿素水から水分が蒸発し、尿素が析出して尿素水噴射ノズルを詰まらせることがあった。
【０００４】
そこで、脱硝運転停止時には尿素水の供給を停止した後で尿素水噴射ノズルへ洗浄液（水）を供給し、尿素水噴射ノズル内を洗浄することが行われている。また、洗浄液による洗浄後には尿素水噴射ノズル内へパージ用空気を供給し、尿素水噴射ノズル内に残っていた洗浄液を吹き飛ばすということも行われている。しかし、このようにしていても尿素水噴射ノズル内に尿素が析出し、尿素水噴射ノズルを詰まらせるということがあった。
【先行技術文献】
【特許文献】
【０００５】
【特許文献１】特開２００３−６２４２７号公報
【発明の概要】
【発明が解決しようとする課題】
【０００６】
本発明が解決しようとする課題は、尿素水噴射ノズルから尿素水を噴射することで燃焼排ガス中の窒素酸化物を還元除去する脱硝装置において、尿素水噴射ノズル内で尿素が析出することによって尿素水噴射ノズルが詰まるということを防止することにある。
【課題を解決するための手段】
【０００７】
請求項１に記載の発明は、燃焼排ガスを通す排ガス通路に尿素水噴射ノズルを設置しておき、尿素水噴射ノズルから燃焼排ガスへ向けて尿素水を噴射し、燃焼排ガス中の窒素酸化物を還元除去するようにしている脱硝装置において、尿素水噴射ノズル内へは空気の供給も可能としておき、脱硝運転停止操作時、尿素水噴射ノズルへ空気を供給することによって尿素水噴射ノズル内の液体分を排出し、尿素水噴射ノズル内を空気で置換すると尿素水噴射ノズルへの空気供給は停止するが、その後も脱硝運転停止中には定期的に尿素水噴射ノズルへ空気を供給する制御を行うことを特徴とする。
【０００８】
請求項２に記載の発明は、燃焼排ガスを通す排ガス通路に尿素水噴射ノズルを設置しておき、尿素水噴射ノズルから燃焼排ガスへ向けて尿素水を噴射し、燃焼排ガス中の窒素酸化物を還元除去するようにしている脱硝装置であって、尿素水噴射ノズルへは尿素水のほかに洗浄液の供給を可能としておき、脱硝運転を停止する際には尿素水噴射ノズルへ洗浄液を供給することで尿素水噴射ノズル内部の洗浄を行う脱硝装置において、尿素水噴射ノズル内へは空気の供給も可能としておき、脱硝運転停止操作時、洗浄液による尿素水噴射ノズルの洗浄を終了し、洗浄液供給停止後、すぐには尿素水噴射ノズルへの空気供給は行わず、尿素水や洗浄液を供給する尿素水供給経路内の圧力が抜けた後に、尿素水噴射ノズルへの空気供給を開始する制御を行うことを特徴とする。
【発明の効果】
【０００９】
本発明の第一の効果として、原動機停止中であっても脱硝運転停止中には定期的に尿素水噴射ノズルへ空気を供給する制御を行い、尿素水噴射ノズルの冷却を行うことで、原動機の余熱によって尿素水噴射ノズルが加熱されて高温になることがなくなる。そのため、脱硝運転停止後に尿素水噴射ノズル内に尿素分が残留していても尿素水噴射ノズル内で尿素が析出することはなくなり、脱硝運転停止中に尿素水噴射ノズルに詰まりが発生するということを防止できる。
【００１０】
第二の効果として、脱硝運転停止操作時、洗浄液による尿素水噴射ノズルの洗浄を終了し、洗浄液供給停止後、すぐには尿素水噴射ノズルへの空気供給は行わず、尿素水や洗浄液を供給する尿素水供給経路内の圧力が抜けた後に、尿素水噴射ノズルへの空気供給を開始する制御を行い、尿素水噴射ノズル内を空気で置換する前に尿素水供給経路内の圧力を抜いておくことで、尿素水噴射ノズルへの空気供給停止後に尿素水供給経路内から尿素を含んでいる可能性のある水が尿素水噴射ノズルへあふれ出ることがなくなる。そのため、脱硝運転停止中に尿素水噴射ノズル内の尿素水から水分が蒸発して尿素水噴射ノズルに詰まりが発生するということを防止できる。
【図面の簡単な説明】
【００１１】
【図１】本発明を実施する装置全体の概略を示した説明図
【図２】本発明での脱硝運転停止時における尿素水噴射ノズルの洗浄状況例などを示したタイムチャート
【図３】本発明での尿素水供給異常発生時における尿素水噴射ノズルの洗浄状況例などを示したタイムチャート
【図４】従来例での脱硝運転停止時におけるタイムチャート
【図５】従来例での尿素水供給異常発生時におけるタイムチャート
【発明を実施するための形態】
【００１２】
本発明の一実施例を図面を用いて説明する。図１は本発明を実施する脱硝装置全体のフロー例を示したフロー図、図２は本発明の一実施例での脱硝運転停止操作時における尿素水噴射ノズルの洗浄状況等を示したタイムチャート、図３は本発明の他の実施例での脱硝運転中に尿素水供給異常が発生した場合を示したタイムチャート、図４は従来例における脱硝運転停止操作時でのタイムチャート、図５は従来例における脱硝運転中に尿素水供給異常が発生した場合を示したタイムチャートである。
【００１３】
燃焼排ガスの発生源であるガスタービン等の原動機（図示せず）からは高温の燃焼排ガスが発生するため、原動機で発生した燃焼排ガスから熱を回収する排熱ボイラ（図示せず）を設置する。原動機と排熱ボイラは、排ガス通路３で接続し、排ガス通路３を通して燃焼排ガスを流すようにしておき、排ガス通路３に尿素水噴射ノズル４を設置する。燃焼排ガスは有害な窒素酸化物含んでいるため、尿素水を燃焼排ガス中に噴射し、アンモニアの還元作用を利用して窒素酸化物を窒素と水に分解することで無害化する。
【００１４】
尿素水は結晶化して析出しやすく、尿素水噴射ノズル４内で結晶が析出すると尿素水噴射ノズル４が詰まることになるため、尿素水噴射ノズル４内が詰まらないようにする必要がある。そこで、尿素水噴射ノズル４へは尿素水だけでなく、洗浄液やパージ用空気を供給することもできるようにしておく。尿素水噴射ノズル４には、尿素水供給経路１と空気供給経路２を接続しており、尿素水供給経路１からは尿素水と水（洗浄液）、空気供給経路２からはパージ用空気を供給するようにしている。尿素水供給経路１の上流側には、尿素水供給ポンプ５と水供給ポンプ６を並列に設置しており、途中に吐出量チェッカー９を設ける。
【００１５】
また、尿素水噴射ノズル４の外側にはアトマイズエアライン１２を設置しておき、尿素水噴射時にアトマイズエアを噴射することで尿素水の拡散効果を高める。空気供給経路２の上流側には空気供給ポンプ７を設け、空気供給経路２は途中で分岐しており、空気供給経路２は尿素水噴射ノズル４と尿素水噴射ノズル４周囲のアトマイズエアライン１２に接続する。尿素水噴射ノズル４に接続している空気供給経路２にはパージ用空気制御弁１１、アトマイズエアライン１２に接続している空気供給経路２にはアトマイズエア制御弁１０を設けておく。尿素水供給ポンプ５、水供給ポンプ６、空気供給ポンプ７、アトマイズエア制御弁１０、パージ用空気制御弁１１、吐出量チェッカー９は、脱硝装置の運転を制御する制御装置８と接続しておき、制御装置８が各機器の作動を制御する。
【００１６】
脱硝運転を停止する操作を行う場合における尿素水供給ポンプ５、水供給ポンプ６、空気供給ポンプ７の稼働制御等を図２に基づいて説明する。図２のタイムチャートでは、原動機を運転しており、脱硝運転を行っている状態から始まっている。脱硝運転を行っている場合、制御装置８は、尿素水供給ポンプ５を稼働することで尿素水噴射ノズル４へ尿素水を供給する。尿素水噴射ノズル４では尿素水を微粒化して排ガス中へ噴射しており、排ガス中の窒素酸化物を窒素と水に分解する。この時、尿素水噴射ノズル４へは所定量の尿素水を供給し続けているため、尿素水噴射ノズル４内の液量は一定量となっている。尿素水噴射ノズル４では燃焼排ガスの熱を受けるが、尿素水噴射ノズル４は次々と送られてくる尿素水によって冷却されるため、尿素水噴射ノズル４内の尿素水温度が大幅に高くなることはなく、尿素水噴射ノズル４内の尿素水から水分が蒸発して結晶が析出するということはない。
【００１７】
また、この時空気供給ポンプ７を作動しておき、アトマイズエア制御弁１０を開き、パージ用空気制御弁１１は閉じておく。空気供給ポンプ７からの空気は空気供給経路２を通ってアトマイズエアライン１２へ入り、尿素水噴射ノズル４から噴射している尿素水を拡散する。
【００１８】
点Ａで原動機を停止することになった場合、制御装置８は原動機停止の情報を受けて脱硝運転を停止させる制御を行う。制御装置８は、まず尿素水供給ポンプ５の稼働を行っている状態のままで水供給ポンプ６の稼働を開始する。水供給ポンプ６を稼働すると、尿素水噴射ノズル４へは尿素水に加えて洗浄液の供給が開始される。この時、尿素水噴射ノズル４への供給量は、尿素水供給ポンプ５からの尿素水に加えて水供給ポンプ６からの水が追加されるため、尿素水噴射ノズルへ供給されている液量は増加していく。
【００１９】
制御装置８が水供給ポンプ６の稼働を開始させた時から所定の時間（例えば３０秒程度）経過後である点Ｂになると、制御装置８は尿素水供給ポンプ５の稼働を停止する。尿素水供給ポンプ５が稼働を停止すると、尿素水噴射ノズル４への尿素水供給がなくなるため、尿素水噴射ノズル４へ供給される液量は減少する。しかしこの時点では水供給ポンプ６を稼働して尿素水噴射ノズル４へ洗浄液を供給しているため、尿素水噴射ノズル４の液量が少なくなりすぎることはなく、尿素水噴射ノズル４の温度上昇は発生しない。尿素水噴射ノズル４の洗浄は、その後も点Ｃになるまで継続しておき、十分な洗浄を行った後で水供給ポンプ６を停止して洗浄液による洗浄を終了する。
【００２０】
その後、制御装置８は、尿素水供給経路１内の圧力が低下するのを待つために所定の時間を開け、点Ｄとなるとパージ用空気制御弁１１を開く。パージ用空気制御弁１１を開くことで、空気供給ポンプ７からの空気は尿素水噴射ノズル４へ入り、尿素水噴射ノズル４への空気供給を行うことで、尿素水噴射ノズル４の流路内に残留していた液分を吹き飛ばしておく。制御装置８は点Ｅになると、パージ用空気制御弁１１を閉じてパージ用空気の供給を停止して脱硝運転を停止する。しかし、制御装置８ではパージ用空気供給停止からの経過時間を検出しておき、原動機が停止していても経過時間が所定時間に達するごとにパージ用空気の供給を行う。点Ｆで所定時間に到達したとすると、点Ｆからパージ用空気制御弁１１を開いて尿素水噴射ノズル４へ一定時間分だけ空気供給を行う。
【００２１】
原動機を停止しているのに尿素水噴射ノズル４への空気供給を行うのは、原動機を停止していても原動機は熱を持っており、停止している原動機からの放熱によって尿素水噴射ノズル４が加熱されることがあるために、尿素水噴射ノズル４を冷却するというものである。そのため、空気供給は冷却に必要なだけでよく、例えば１５分経過するごとに１分間だけ空気供給ポンプ７を稼働するようにする。なお、所定時間ごとに行う尿素水噴射ノズル４の冷却は、尿素水噴射ノズル４が加熱されなくなれば停止すればよく、原動機が十分に冷えるだけ時間が経過すれば停止する。また、原動機停止中の定期的な冷却は、尿素水噴射ノズル４部分の温度に基づいて行うようにしてもよい。
【００２２】
図４は、比較のための従来例におけるタイムチャートである。図４では、点ａで原動機の運転を停止しており、制御装置８は原動機の停止を検出すると直ちに尿素水供給ポンプ５の停止と水供給ポンプ６の稼働を行っている。この場合、尿素水供給ポンプ５を停止すると尿素水噴射ノズル４への尿素水供給量は急激に減少するのに対し、水供給ポンプ６の稼働開始による尿素水噴射ノズル４への洗浄液供給量は緩やかにしか増加しないため、尿素水噴射ノズル４での液量は一時的に減少する。尿素水噴射ノズル４内の液量が少なくなると、尿素水噴射ノズル４内では少量の液体で尿素水噴射ノズル４に伝わってくる熱を取り込まなければならなくなる。そのため、尿素水が加熱されて高温になり、水分が蒸発することにより結晶が析出することがある。析出した結晶は尿素水噴射ノズル４内に固着するため、脱硝運転を停止するたびに析出と固着を繰り返すことによって尿素水噴射ノズル４に詰まりが発生することになる。
【００２３】
また、図４では、点ｃで水供給ポンプ６を停止するとともにアトマイズエア制御弁１０を開き、尿素水噴射ノズル４へパージ用空気を供給している。水供給ポンプ６の停止と同時にパージ用空気制御弁１１を開いた場合、尿素水供給経路部分をパージ用空気によって蓋をすることになる。水供給ポンプ６を停止した直後の場合、尿素水供給経路１内では洗浄水の圧力が高くなっており、パージ用空気によって蓋がされると、尿素水供給経路内では高い圧力のままで維持される。この場合、その後にパージ用空気供給を停止して空気による圧力がなくなると、圧力の高い尿素水供給経路内から洗浄水が尿素水噴射ノズルへあふれ出て、少量の洗浄水が尿素水噴射ノズル４内にたまる。尿素水噴射ノズル４内の洗浄水に尿素分が残っていると、尿素水噴射ノズル４内から水分が蒸発して尿素が析出し、析出した尿素によって尿素水噴射ノズル４が詰まることがあった。
【００２４】
そのため、本発明では水供給ポンプ６の停止から尿素水供給経路１内の圧力を逃がすための所定の時間を開けてパージ用空気制御弁１１を開くようにしている。水供給ポンプ６の停止からパージ用空気供給までに時間を開けることで、尿素水供給経路内の圧力による尿素水供給経路からのあふれ出しを先に行っておき、その後にパージ用空気を供給するようにしているため、本発明ではパージ用空気供給停止後に洗浄水が尿素水噴射ノズル４内へあふれ出てくることをなくすことができる。
【００２５】
また、図４では脱硝運転を停止した以降は尿素水噴射ノズル４の冷却を行っていない。原動機を停止していても原動機の温度が高ければ、余熱によって尿素水噴射ノズル４が加熱されることがある。原動機停止中には尿素水噴射ノズル４の冷却を行っていない図４の場合、点ｅで空気供給ポンプ７を停止した以降は尿素水噴射ノズル４を冷却するものがないため、原動機の余熱によって尿素水噴射ノズル４の温度が上昇することがある。尿素水噴射ノズル４内に尿素水が残留している状態で尿素水噴射ノズル４の温度が上昇すると、尿素水から水分が蒸発し、結晶化して尿素水噴射ノズル４内を詰まらせることになるといった問題があった。しかし、尿素水噴射ノズル４を定期的に冷却する本発明を実施することで、脱硝運転停止中における尿素析出の問題も解消することができる。
【００２６】
図３は本発明に関するものであって、原動機の運転途中で尿素水供給ポンプ５に異常が発生して尿素水の供給が行えなくなった場合のタイムチャートを示している。尿素水供給ポンプ５でのエアがみや尿素水供給ポンプの異常、また尿素水噴射ノズルにつまりが発生するなどして、尿素水噴射ノズル４へ尿素水を供給できなくなった場合、早急に対処しないと、尿素水噴射ノズル４内に残留している尿素水から水分が蒸発し、尿素水噴射ノズル４が析出した尿素によって閉塞されることになる。
【００２７】
尿素水噴射ノズル４への尿素水供給異常は、尿素水供給経路１に設けている吐出量チェッカー９からの信号に基づいて検出する。制御装置８は、尿素水供給ポンプ５に対して作動指令は出力しているにもかかわらず、吐出量チェッカー９から尿素水供給の信号が出力されてこないということを検出した場合、尿素水供給ポンプ異常（尿素水吐出異常）との判定を行う。制御装置８は尿素水供給に異常が発生しているとの判定を行うと、原動機は運転中であっても脱硝運転停止の操作を行う。脱硝運転停止の操作自体は、原動機運転停止時の操作と同じである。制御装置８は、点Ｈで異常発生を検出すると、水供給ポンプ６の作動を行うことで、尿素水噴射ノズル４内の尿素水を洗浄水によって排出する。その後点Ｉで水供給ポンプ６の作動を停止し、点Ｊでパージ用空気制御弁１１を開いて尿素水噴射ノズル４へ空気を供給することで尿素水噴射ノズル４内の洗浄水を排出する。なお、尿素水吐出異常によって尿素水噴射を停止した場合、原動機は運転を継続しており、高温の燃焼排ガスが排ガス通路３内を流れ続けているため、尿素水噴射ノズル４への空気供給を継続することで尿素水噴射ノズル４の冷却を行う。その後、点Ｋで原動機の運転を停止すれば尿素水噴射ノズル４の冷却を継続する理由がなくなるため、その場合には前記と同様に、定期的に尿素水噴射ノズル４へ空気を供給するのみとし、余熱による尿素水噴射ノズル４の加熱を防止するための冷却を行う。
【００２８】
図５は比較のための従来例におけるタイムチャートである。図４でも尿素水供給ポンプ５の異常によって尿素水の供給が停止している。しかしこの場合、尿素水供給の異常を検出することができておらず、原動機の運転を停止する点ｋまでは水供給ポンプ６の作動も行わないため、尿素水噴射ノズル４は温度が上昇する。そのため尿素水噴射ノズル４内の尿素水は蒸発し、尿素水噴射ノズル４内で尿素が析出するため、尿素水噴射ノズル４が詰まることになる。
【符号の説明】
【００２９】
１  尿素水供給経路      
２  空気供給経路      
３  排ガス通路        
４  尿素水噴射ノズル      
５  尿素水供給ポンプ
６  水供給ポンプ        
７  空気供給ポンプ    
８  制御装置
９  吐出量チェッカー
１０  アトマイズエア制御弁
１１  パージ用空気制御弁
１２  アトマイズエアライン
【図１】
2011098343.tif 000003
【図２】
2011098343.tif 000004
【図３】
2011098343.tif 000005
【図４】
2011098343.tif 000006
【図５】
2011098343.tif 000007